(57)【要約】  訓練用の装置に対して初期設定と点検を短時間で容易に行うことができる訓練装置システムを提供する。  初期設定時に、個別番号出力器（リストバンド）１が個別番号を出力し、訓練者が装着する人員器材２が、当該個別番号を受信して記憶すると共に無線装置３に送信し、無線装置３が個別番号を記憶し、統制局５から送信された一括初期設定データの中から、記憶している個別番号に対応する初期設定データを抽出して人員器材２に送信し、人員器材２が、受信したデータの内、人員器材２に対応するデータを自装置に設定すると共に、接続する銃４や大火器Ｘ等の訓練用装置に対応するデータを各装置に設定し、訓練用装置及び自装置での設定が完了すると、無線装置３に設定完了を送信し、無線装置３は、設定完了を統制局５に送信する訓練装置システム及びデータ設定方法としている。
2016132946.tif 000002
【特許請求の範囲】
【請求項１】
訓練用の装置にデータを設定する訓練装置システムであって、
個別番号を出力する個別番号出力器と、
前記訓練用の装置に設定されるデータを送信する統制局と、
訓練者に装着され、前記個別番号出力器からの個別番号を受信して自装置に記憶し、当該個別番号を送信する人員器材と、
前記人員器材からの個別番号を受信して記憶し、前記統制局からのデータが前記記憶された個別番号宛であれば当該データを受信して前記人員器材に送信する無線装置とを有し、
前記人員器材は、前記無線装置からのデータの内、前記人員器材に対応するデータを自装置に設定すると共に、接続する訓練用の装置に対応するデータを前記訓練用の装置に設定し、前記訓練用の装置及び前記自装置での設定が完了すると、前記無線装置に設定完了を送信し、
前記無線装置は、前記設定完了を前記統制局に送信することを特徴とする訓練装置システム。
【請求項２】
統制局は、複数の個別番号のグループを宛先とし、又は全員を宛先として同一のデータを送信し、
無線装置は、前記統制局からのデータが自己の個別番号が含まれているグループ宛、又は全員宛であれば、当該データを受信して人員器材に送信することを特徴とする請求項１記載の訓練装置システム。
【請求項３】
訓練用の装置が、銃、又は銃と大火器であることを特徴とする請求項１又は２記載の訓練装置システム。
【請求項４】
統制局が、点検の指示を送信し、
人員器材が、前記点検の指示を受信すると、自装置に設定されたデータを収集して無線装置に送信し、
前記無線装置が、前記送信されたデータを受信して、記憶されている個別番号に前記データを付して前記統制局に送信することを特徴とする請求項１乃至３のいずれか記載の訓練装置システム。
【請求項５】
訓練用の装置にデータを設定するデータ設定方法であって、
個別番号出力器が、個別番号を出力し、
人員器材が、前記個別番号出力器からの個別番号を受信して自装置に記憶すると共に当該個別番号を送信し、
統制局が、前記訓練用の装置に設定されるデータを送信し、
無線装置が、前記人員器材からの個別番号を受信して記憶し、前記統制局からのデータが前記記憶された個別番号宛であれば当該データを受信して前記人員器材に送信し、
前記人員器材が、前記無線装置からのデータの内、前記人員器材に対応するデータを自装置に設定すると共に、接続する訓練用の装置に対応するデータを前記訓練用の装置に設定し、前記訓練用の装置及び前記自装置での設定が完了すると、前記無線装置に設定完了を送信し、
前記無線装置が、前記設定完了を前記統制局に送信することを特徴とするデータ設定方法。
【発明の詳細な説明】
【技術分野】
【０００１】
本発明は、訓練装置システムに係り、特に初期設定に要する作業量を低減し、初期設定の時間を短縮することができる訓練装置システム及びデータ設定方法に関する。
【背景技術】
【０００２】
［先行技術の説明：図１２］
レーザを用いた射撃訓練を行う際には、訓練者が装備する訓練装置に訓練内容に応じた各種データの初期設定を行う必要がある。
従来の訓練装置システムにおける初期設定について図１２を使って説明する。図１２は、従来の訓練装置システムにおける初期設定を示す模式説明図である。【０００３】
図１２に示すように、従来の訓練装置システムは、教官が所持する初期設定装置７１と、訓練者が装備する人員器材７２と、無線装置７３と、銃等の火器（以下、銃とする）７４と、訓練全体を管理する統制局７５とを備えている。【０００４】
従来の訓練装置システムの各部について説明する。
初期設定装置７１は、初期設定時に用いられるものであって、制御部、記憶部、赤外線又はレーザ送受信部を備え、訓練者の装備に設定すべき個別番号（ＩＤ）等の初期設定情報を予め記憶している。そして、各訓練者が装着している人員器材７２に対して、赤外線又はレーザにより初期設定データを送信する。【０００５】
人員器材７２は、制御部と、記憶部と、初期設定用の赤外線（又はレーザ、無線）送受信部と、被弾検出用のレーザ受光部とを備え、位置情報や、訓練者の銃によるレーザ発射及び他の訓練者の銃からのレーザ受光を検出し、訓練の状況を記憶して、無線装置７３を介して統制局７５に送信する。
また、人員器材７２は、訓練者が所持する銃７４に対して、銃の個別番号や弾数に応じた弾番号等の初期設定情報を送信する。【０００６】
無線装置７３は、人員器材に有線で接続され、人員器材７２から初期設定データ及び訓練状況データを受信して、それらを統制局７５に送信する。
銃７４は、設定された個別番号及び弾数等を記憶し、個別番号及び弾番号を付したレーザ信号を発射する。【０００７】
統制局７５は、無線部、制御部、記憶部を備えており、各訓練者の無線装置７３から送信された初期設定データを受信して記憶する。
また、訓練開始後、各訓練者の無線装置７３から送信された訓練状況データを受信して記憶し、解析する。【０００８】
［従来の初期設定方法:図１２、図１３］
次に、従来の訓練装置システムにおける初期設定方法について図１２、図１３を用いて説明する。図１３は、従来の訓練装置システムにおける初期設定方法を示すシーケンスである。
図１２，１３に示すように、初期設定時には、まず、初期設定装置７１が人員器材７２に対して初期設定データを送信する（Ｓ３１）。初期設定データとしては、人員装置・火器（銃）・大火器の個別番号や、現在時刻、訓練開始時刻等があり、複数回に分けて送信される。図１３では、ｎ回に分けて送信され、人員器材７２はこれを受信する（Ｓ３２）。【０００９】
人員器材７２は、受信した初期設定データの内、自装置用の初期設定データを記憶部に設定すると共に、銃７４用の初期設定データを赤外線又はレーザによって銃７４に送信して設定する（Ｓ３３）。
銃７４は、初期設定応答データを送信する（Ｓ３４）。【００１０】
そして、人員器材７２は、自装置及び銃７４に設定した初期設定データを無線装置７３に送信する。ここでは、まず初期設定データＡを送信する（Ｓ３５）。
人員器材７２は、無線装置７３からの初期設定応答データを受信すると（Ｓ３６）、初期設定応答データＢを無線装置７３に送信し（Ｓ３７）、無線装置７３から初期設定応答データを受信する（Ｓ３８）。【００１１】
無線装置７３は、初期設定データＡの受信から所定の時間（Xt秒）以内に受信した全ての初期設定データ（ここでは、初期設定データＡ，Ｂ）を、初期設定完了データとして統制局７５に送信する（Ｓ３９）。
統制局７５は、全ての無線装置７３からの初期設定完了データを受信して、その内容を記憶しておく。
このようにして、従来の訓練装置システムにおける初期設定が行われる。【００１２】
つまり、従来の訓練装置システムの初期設定では、教官が初期設定装置を用いて訓練者一人一人の人員装置に初期設定データを送信するようになっていた。【００１３】
［関連技術］
尚、訓練装置システムに関する従来技術としては、特開２００８−１７５４５４号公報「訓練用端末装置」（株式会社日立国際電気、特許文献１）がある。
特許文献１は、最初に選ばれた端末装置が次に選ばれた端末装置に対して、光データの転送を行い、転送により次に選ばれた端末装置は、ＩＤ番号が「１＋１＝２」に更新され、以下、ＩＤ番号ｎ−１に更新されたｎ−１番目の端末装置がＩＤ番号「ｎ−１＋１＝ｎ」に更新されて、順次更新された固有のＩＤ番号と共通の初期設定データがそれぞれの端末装置のメモリに記憶される訓練用端末装置が記載されている。
【先行技術文献】
【特許文献】
【００１４】
【特許文献１】特開２００８−１７５４５４号公報
【発明の概要】
【発明が解決しようとする課題】
【００１５】
しかしながら、従来の訓練装置システムでは、小規模（例えば、４００人程度））の訓練では初期設定に時間をとられないが、大規模（例えば、４０００人程度）の訓練では初期設定に時間が掛かってしまい、作業効率が悪いという問題点があった。【００１６】
尚、特許文献１には、人員器材が、個別番号出力器からの個別番号を受信して、無線装置に送信し、無線装置が当該個別番号を記憶しておき、統制局から送信される一括初期設定データの内、記憶された個別番号宛の初期設定データを抽出して人員器材に送信し、人員器材が自装置及び銃や大火器に初期設定データを設定することは記載されていない。【００１７】
本発明は上記実状に鑑みて為されたもので、訓練用の装置に対して初期設定と点検を短時間で容易に行うことができる訓練装置システムを提供することを目的とする。
【課題を解決するための手段】
【００１８】
上記従来例の問題点を解決するための本発明は、訓練用の装置にデータを設定する訓練装置システムであって、個別番号を出力する個別番号出力器と、訓練用の装置に設定されるデータを送信する統制局と、訓練者に装着され、個別番号出力器からの個別番号を受信して自装置に記憶し、当該個別番号を送信する人員器材と、人員器材からの個別番号を受信して記憶し、統制局からのデータが記憶された個別番号宛であれば当該データを受信して人員器材に送信する無線装置とを有し、人員器材は、無線装置からのデータの内、人員器材に対応するデータを自装置に設定すると共に、接続する訓練用の装置に対応するデータを訓練用の装置に設定し、訓練用の装置及び自装置での設定が完了すると、無線装置に設定完了を送信し、無線装置は、設定完了を統制局に送信することを特徴としている。【００１９】
また、本発明は、上記訓練装置システムにおいて、統制局は、複数の個別番号のグループを宛先とし、又は全員を宛先として同一のデータを送信し、無線装置は、統制局からのデータが自己の個別番号が含まれているグループ宛、又は全員宛であれば、当該データを受信して人員器材に送信することを特徴としている。【００２０】
また、本発明は、上記訓練装置システムにおいて、訓練用の装置が、銃、又は銃と大火器であることを特徴としている。【００２１】
また、本発明は、上記訓練装置システムにおいて、統制局が、点検の指示を送信し、人員器材が、点検の指示を受信すると、自装置に設定されたデータを収集して無線装置に送信し、無線装置が、送信されたデータを受信して、記憶されている個別番号に当該データを付して統制局に送信することを特徴としている。【００２２】
また、本発明は、訓練用の装置にデータを設定するデータ設定方法であって、個別番号出力器が、個別番号を出力し、人員器材が、個別番号出力器からの個別番号を受信して自装置に記憶すると共に当該個別番号を送信し、統制局が、訓練用の装置に設定されるデータを送信し、無線装置が、人員器材からの個別番号を受信して記憶し、統制局からのデータが記憶された個別番号宛であれば当該データを受信して人員器材に送信し、人員器材が、無線装置からのデータの内、人員器材に対応するデータを自装置に設定すると共に、接続する訓練用の装置に対応するデータを訓練用の装置に設定し、訓練用の装置及び自装置での設定が完了すると、無線装置に設定完了を送信し、無線装置が、設定完了を統制局に送信することを特徴としている。
【発明の効果】
【００２３】
本発明によれば、訓練用の装置にデータを設定する訓練装置システムであって、個別番号を出力する個別番号出力器と、訓練用の装置に設定されるデータを送信する統制局と、訓練者に装着され、個別番号出力器からの個別番号を受信して自装置に設定し、当該個別番号を送信する人員器材と、人員器材からの個別番号を受信して記憶し、統制局からのデータが記憶された個別番号宛であれば当該データを受信して人員器材に送信する無線装置とを有し、人員器材は、無線装置からのデータの内、人員器材に対応するデータを自装置に設定すると共に、接続する訓練用の装置に対応するデータを訓練用の装置に設定し、訓練用の装置及び自装置での設定が完了すると、無線装置に設定完了を送信し、無線装置は、設定完了を統制局に送信する訓練装置システムとしているので、統制局から初期設定データを人員器材及び銃等に容易に且つ短時間で設定することができ、初期設定の作業効率を向上させることができる効果がある。【００２４】
また、本発明によれば、統制局は、複数の個別番号のグループを宛先とし、又は全員を宛先として同一のデータを送信し、無線装置は、統制局からのデータが自己の個別番号が含まれているグループ宛、又は全員宛であれば、当該データを受信して人員器材に送信する上記訓練装置システムとしているので、複数の訓練者に共通の初期設定情報を統制局から同じ送信データで一度に送信することができ、送信データの生成や初期設定に要する時間を短縮することができる効果がある。【００２５】
また、本発明によれば、統制局が、点検の指示を送信し、人員器材が、点検の指示を受信すると、自装置に設定されたデータを収集して無線装置に送信し、無線装置が、送信されたデータを受信して、記憶されている個別番号に当該データを付して統制局に送信する上記訓練装置システムとしているので、点検作業を効率よく実施することができる効果がある。【００２６】
また、本発明によれば、訓練用の装置にデータを設定するデータ設定方法であって、個別番号出力器が、個別番号を出力し、人員器材が、個別番号出力器からの個別番号を受信して自装置に記憶すると共に当該個別番号を送信し、統制局が、訓練用の装置に設定されるデータを送信し、無線装置が、人員器材からの個別番号を受信して記憶し、統制局からのデータが記憶された個別番号宛であれば当該データを受信して人員器材に送信し、人員器材が、無線装置からのデータの内、人員器材に対応するデータを自装置に設定すると共に、接続する訓練用の装置に対応するデータを訓練用の装置に設定し、訓練用の装置及び自装置での設定が完了すると、無線装置に設定完了を送信し、無線装置が、設定完了を統制局に送信するデータ設定方法としているので、統制局から初期設定データを人員器材及び銃等に容易に且つ短時間で設定することができ、初期設定の作業効率を向上させることができる効果がある。
【図面の簡単な説明】
【００２７】
【図１】本発明の実施の形態に係る訓練装置システムの概略構成図である。
【図２】図１に示す人員器材２の構成ブロック図である。
【図３】図１に示す無線装置３の構成ブロック図である。
【図４】図１に示す統制局５の構成ブロック図である。
【図５】インデックステーブルの一例を示す説明図である。
【図６】インデックステーブルの別の例を示す説明図である。
【図７】設定データ管理テーブルの別の例を示す説明図である。
【図８】本システムにおける初期設定シーケンスを示す説明図である。
【図９】個別宛一括初期設定データの例を示す説明図である。
【図１０】グループ宛一括初期設定データの例を示す説明図である。
【図１１】全員宛一括初期設定データの例を示す説明図である。
【図１２】従来の訓練装置システムにおける初期設定を示す模式説明図である。
【図１３】従来の訓練装置システムにおける初期設定方法を示すシーケンスである。
【発明を実施するための形態】
【００２８】
本発明の実施の形態について図面を参照しながら説明する。［実施の形態の概要］
本発明の実施の形態に係る訓練装置システム（本システム）は、個別番号発生器から人員器材に個別番号が送信されて記憶され、更に人員器材から無線装置にその個別番号が設定され、統制局から個別番号宛に送信された初期設定データを無線装置が受信して人員器材に設定し、更に人員器材が銃又は大火器に対応する初期設定データを設定し、設定が完了すると、無線装置に初期設定完了データを送信し、更に無線装置が統制局に初期設定完了データを送信するようになっているので、統制局から初期設定データを人員器材及び銃等に容易に且つ短時間で設定でき、初期設定の作業効率を向上させることができるものである。
【００２９】
また、本システムは、統制局からの点検指示が無線装置に送信され、無線装置が人員器材に点検指示を送信すると、人員器材が装置の状態をチェックし、確認情報を収集して無線装置に送信し、無線装置が確認情報を統制局に送信するようになっているので、点検作業も効率よく行うことができるものである。
【００３０】
［本システムの概略構成：図１］
本発明の実施の形態に係る訓練装置システム（本システム）の概略構成について図１を参照しながら説明する。図１は、本発明の実施の形態に係る訓練装置システムの概略構成図である。
図１に示すように、本システムは、訓練者が装着するリストバンド（個別番号発生器）１と、人員器材２と、無線装置３と、銃４と、統制局５とを備えている。尚、図１では示していないが、訓練者によっては、銃４とは別に大火器Ｘを装備している場合もある。大火器Ｘへの初期設定データの設定は、銃４への設定方法と同様に行われるものである。
銃４、大火器Ｘは請求項に記載した訓練用の装置に相当するものであり、総称して火器と呼ぶ。
【００３１】
［初期設定方法の概略:図１］
本システムの各構成部分について具体的に説明する前に、本システムにおける初期設定方法の概略について説明する。
本システムでは、それぞれの訓練者が、固有番号が記憶されたリストバンド１を装着している。初期設定時に、リストバンド１を人員器材２の微弱無線部に近づけると、リストバンド１から固有番号が送信され、人員器材２は固有番号を受信して記憶する。
人員器材２は、固有番号を無線装置３に送信し、無線装置３は当該固有番号を記憶する。
【００３２】
そして、統制局５は、全ての訓練者宛の初期設定データを一括して無線送信する。
無線装置３は、受信信号の中から自己の個別番号宛の初期設定データを抽出して、人員器材２に送信する。
人員器材２は、受信した初期設定データの中から、自装置用の初期設定データを自装置に設定すると共に、銃４用の初期設定データを銃４に送信して、設定する。
このようにして、本システムの初期設定が行われるものである。
【００３３】
これにより、教官が訓練者一人ひとりに対して初期設定データを設定しなくて済み、設定時間を短縮し、設定作業を容易にするものである。
【００３４】
［本システムの各部］
次に、本システムの各構成部分について具体的に説明する。
［リストバンド１］
リストバンド１は、本システムの特徴部分であり、訓練者の個別番号を記憶したＲＦＩＤ（Radio Frequency Identifier）タグを備えたものであり、記憶された個別番号を微弱無線によって人員器材２へ送信する。リストバンド１は、請求項に記載した個別番号出力器に相当する。
リストバンド１は、微弱無線を用いて通信を行うため通信可能距離が短く、当該リストバンド１を装着している訓練者の人員器材２との通信は可能であるが、別の訓練者の人員器材２と通信してしまう恐れが少なく、個別番号の設定に適している。
【００３５】
［人員器材２］
人員器材２の構成について図２を用いて説明する。図２は、人員器材の構成ブロック図である。
人員器材２は、制御部２１と、記憶部２２と、微弱無線部２３と、無線部２４と、レーザ受信部２５とを備えている。
また、他の訓練者からのレーザ信号を受光した場合に、被弾を示すため発光する発光部２６を備えている。
【００３６】
制御部２１は、リストバンド１から受信した個別番号を記憶部２２に記憶する。
そして、制御部２１は、受信した初期設定データを自装置や銃４や大火器Ｘに設定すると共に、訓練開始後は、レーザ信号の発射や受光を検出して訓練状況のデータ（訓練状況データ）を取得し、統制局５へ送信する訓練状況データを生成し、また、有線で接続された無線装置３や、無線又は赤外線で接続される銃４及び大火器Ｘとの通信制御を行う。
また、制御部２１は、統制局５からの点検指示に従って、自装置に設定された初期設定データを取得して、確認データとして無線装置３を介して統制局５に送信する。
【００３７】
記憶部２２は、制御部２１で動作する処理プログラムを記憶すると共に、初期設定データや、訓練状況データを記憶する。
微弱無線部２３は、リストバンド１からの微弱無線信号を受信して、個別番号のデータを取り出して制御部２１に送出する。
【００３８】
無線部２４は、銃４及び大火器Ｘに初期設定情報を無線送信する。尚、無線部２４の代わりに、赤外線送受信部を備えていてもよい。
レーザ受信部２５は、他の訓練者の銃４から発射されたレーザ光を受光した場合にそれを検出し、受光したレーザ光から発射元のデータを抽出して制御部２１に送出する。
【００３９】
尚、ここでは、制御部２１が、リストバンド１から送信された個別番号を人員器材のＩＤとして設定するようにしているが、別の例として、個別番号は単に統制局５と無線装置３との間の無線通信に用いる番号として無線装置３に送信しておき、その後、統制局５から当該個別番号宛に送信された初期設定データの中に含まれる人員器材のＩＤを、改めて設定するようにしてもよい。
この方法は、銃４や大火器ＸにＩＤを設定する際の方法と同様である。
【００４０】
［無線装置３］
無線装置３の構成について図３を用いて説明する。図３は、無線装置３の構成ブロック図である。
無線装置３は、人員器材２に有線で接続されており、制御部３１と、記憶部３２と、無線部３３とを備えている。
無線部３３は、統制局５との無線通信を行う。
記憶部３２は、人員器材２から送信された個別番号を記憶している。
制御部３１は、通信制御を行うと共に、無線部３３で受信した初期設定データが記憶部３２に記憶されている自己の個別番号宛又は全員宛であるかどうかを判断し、自己宛又は全員宛であれば、当該初期設定データを人員器材２へ送信する。
【００４１】
［統制局５］
統制局５の構成について図４を用いて説明する。図４は、統制局５の構成ブロック図である。
統制局５は、訓練全体の管理や制御を行う装置であり、制御部５１と、記憶部５２と、無線部５３と、インタフェース部５４と、表示部５５と、入力部５６とを備えている。
そして、本システムの特徴として、統制局５は、後述するインデックステーブル及び設定データ管理テーブルに基づいて、各訓練者に対する初期設定データを一括して送信するものである。
【００４２】
制御部５１は、入力部５６からの指示に従って初期設定データの生成や編集を行うと共に、通信制御を行う。また、各訓練者の無線装置３からの訓練状況データを受信して、集計、解析及び表示データの生成等を行う。
更に、入力部からの指示により、各訓練者の人員器材２に対して、初期設定が正常に完了したかどうかを確認する点検の指示（点検指示）を送信し、その結果を収集する。
【００４３】
記憶部５２は、処理プログラムの他、初期設定データを規定するインデックステーブル及びインデックステーブルで規定された個々の設定内容を規定する設定データ管理テーブルを備えている。インデックステーブル及び設定データ管理テーブルについては、後述する。
【００４４】
無線部５３は、無線装置３との無線通信を行う。
インタフェース部５４は、周辺機器や外部ネットワークとの接続を行う。
また、表示部５５は、インタフェース部５４に接続し、初期設定データや訓練状況データ等の表示を行う。
入力部５６は、インデックステーブルや設定データ管理テーブルの生成や編集時のデータ入力等を行う。
【００４５】
［銃４］
銃４は、無線部と、制御部と、記憶部と、レーザ発射部を備えている。
無線部は、人員器材２の無線部２４からの無線信号を受信し、個別番号や弾数等の初期設定データを抽出し制御部に出力する。
制御部は、初期設定データを記憶部に記憶すると共に、レーザ発射の操作が為されると、個別番号と弾番号を含むデータレーザ発射部に出力する。
記憶部は、初期設定データを記憶する。
レーザ発射部は、個別番号や弾番号を含むデータをレーザ信号として発射する。
【００４６】
［インデックステーブル：図５，図６］
次に、統制局５の記憶部５２に記憶されているインデックステーブルについて図５及び図６を用いて説明する。図５は、インデックステーブルの一例を示す説明図であり、図６は、インデックステーブルの別の例を示す説明図である。
インデックステーブルは、訓練の規模や内容に応じたグループ毎に、個々の訓練者に対して設定される初期設定データを規定するものであり、統制局５において管理者等によって予め生成され、記憶されている。
【００４７】
図５に示すように、インデックステーブル（１）では、グループ１として、３０人までの訓練者に対する人員器材２、銃４、大火器Ｘの初期設定データを規定している。
図５の例では、人員器材２のＩＤに対応して、各人員器材２に対する設定データと、銃４のＩＤ（銃ＩＤ）及び銃４に対する設定パターンと、大火器ＸのＩＤ（大火器ＩＤ）及び大火器Ｘに対する設定パターンを記憶している。
ここでは、人員器材２のＩＤは、リストバンド１に記憶されている個別番号と同等であり、当該訓練における各訓練者を識別する番号となる。
【００４８】
例えば、「人員器材ＩＤ：１」に対応して、当該人員器材２用の設定データ「ａｂｃ」が記憶されると共に、当該訓練者が所持する銃４のＩＤとして１５０１、銃用設定パターンとしてパターンＢ１、大火器ＸのＩＤとして３００１、大火器用設定パターンとしてパターンＣ１が設定されている。
銃用設定パターンや大火器用設定パターンで規定される初期設定データの詳細なデータは、後述する設定データ管理テーブルにおいて規定されている。
【００４９】
ここでは、人員器材２に対する設定データをインデックステーブルに記憶しているが、銃４や大火器Ｘと同様に、設定パターンを記憶するようにして、具体的な設定内容は設定データ管理テーブルに記憶するようにしてもよい。
【００５０】
また、人員器材ＩＤ５〜２６に対しては、銃ＩＤは設定されているが大火器ＩＤは設定されておらず、人員器材ＩＤ５〜２６の訓練者は、銃４だけを所持し、大火器Ｘは所持しないことが規定されている。
訓練時には、インデックステーブルによって大火器Ｘの所持が規定されている人員器材ＩＤのリストバンドを、大火器Ｘを所持すべき訓練者に装着させる。
【００５１】
尚、ここでは、銃用の設定パターンや大火器用設定パターンを全て共通としているが、個々の銃４や大火器Ｘに対して異なるパターンを設定することも可能である。
このように、本システムでは、訓練の内容や各訓練者の役割等に応じて、人員器材２、銃４、大火器Ｘに適切な初期設定データを設定できるようにしている。
【００５２】
また、人員器材ＩＤ２６〜３０については、対応するデータが記憶されていない。これらの番号は、リストバンド１の故障や通信障害等により、人員器材ＩＤ１〜２５に対して正常に設定できない場合等に備えた予備番号となっている。
正常に設定できない訓練者があった場合には、予備番号に対応して、銃４や大火器Ｘの初期設定データを書き込んでインデックステーブルを更新し、当該訓練者のリストバンド１を予備番号のリストバンド１に交換して、再度初期設定を行うものである。
【００５３】
同様に、図６に示すように、インデックステーブル（２）では、グループ２として、１１人までの訓練者に対する初期設定データを規定している。
インデックステーブル（２）は、図５に示したインデックステーブル（１）と比べて、小規模なグループで訓練を行う場合の初期設定データとなっている。
【００５４】
本システムでは、予め訓練の規模や種類に応じて複数種類のインデックステーブルを用意しておき、訓練の際には、その中から適切なものを選択して、初期設定に利用するようになっている。
これにより、初期設定データの生成や初期設定に要する時間及び作業量を大幅に低減することができるものである。
【００５５】
尚、本システムの例では、リストバンド１の個別番号と人員器材２のＩＤとを同一としているが、異なる番号としてもよい。
その場合、インデックステーブルでは、リストバンド１の個別番号に対応して、人員器材２のＩＤと設定データ（又は設定パターン）、銃４のＩＤと設定パターン、大火器ＸのＩＤと設定パターンを記憶するものとなる。
【００５６】
このようにすると、例えば、当初、個別番号５に対応して人員器材ＩＤ：５００５が記憶されていたが設定エラーとなった場合、当該訓練者に予備番号である個別番号２７を付与（個別番号２７のリストバンドを装着）し、インデックステーブルを、個別番号２７に対応して人員器材ＩＤ：５００５に更新することで、人員器材のＩＤを予定通りのＩＤのままとして訓練を実施することができるものである。
【００５７】
［設定データ管理テーブル：図７］
次に、設定データ管理テーブルについて図７を用いて説明する。図７は、設定データ管理テーブルの別の例を示す説明図である。
設定データ管理テーブルは、図５，６のインデックステーブルに記憶された各設定パターンの具体的な設定内容を記憶している。
図７に示すように、設定データ管理テーブルには、人員器材２用、銃４用、大火器Ｘ用の各設定パターンに対応して、詳細な設定データが記憶されている。
【００５８】
例えば、人員器材２用としては、パターンＡ１，Ａ２，...が記憶され、それぞれのパターン毎に、項目に対応して設定内容が記憶されている。
同様に、銃４用として、パターンＢ１，Ｂ２，...に対応する詳細な設定データが記憶され、大火器Ｘ用として、パターンＣ１，Ｃ２，...に対応する詳細な設定データが記憶されている。
【００５９】
このように、予め訓練の種類や内容に対応する初期設定データをパターンとして記憶しておくことにより、初期設定データの変更や編集を容易にすると共に、適切な初期設定データを短時間で訓練者の装備に設定することができるものである。
【００６０】
［初期設定シーケンス:図８］
次に、本システムにおける初期設定時のシーケンスについて図８を用いて説明する。図８は、本システムにおける初期設定シーケンスを示す説明図である。
図８に示すように、訓練者が、リストバンド１を人員器材２の微弱無線部２３に近づけると、微弱無線通信によりリストバンド１から人員器材２の個別番号（以下、個別番号とする）が送信され、人員器材２は、個別番号を受信して記憶部２２に記憶する（Ｓ１１）。
【００６１】
人員器材２の制御部２１は、記憶した個別番号を無線装置３に送信する（Ｓ１２）。無線装置３は、受信した個別番号を記憶部３２に記憶しておく。
そして、統制局５は、全ての無線装置３に対して、共通の一括初期設定データを一括送信する（Ｓ１３）。
【００６２】
ここで、本システムの統制局５では、図５〜７に示したインデックステーブル及び設定データ管理テーブルに基づいて、一括初期設定データを生成する。
一括初期設定データは、基本的に、宛先としての設定対象者の個別番号と、それに対応する初期設定データとが組み合わされたものであり、本システムの特徴として、個々の訓練者に対して個別の初期設定データを送信する場合や、複数の訓練者（グループ）に対して同一（共通）の初期設定データを送信する場合や、全員に対して同一の初期設定データを送信する場合がある。これらの送信データについては後述する。
【００６３】
無線装置３は、無線部３３で統制局５からの一括初期設定データを受信すると、制御部３１が、宛先となっている個別番号を記憶部３２に記憶されている個別番号と比較し、一致した場合に、対応する初期設定データを抽出して、人員器材２に送信する（Ｓ１４）。
【００６４】
そして、人員器材２の制御部２１は、初期設定データを受信すると、一旦記憶しておき、自装置用の設定データがあればそれを記憶部２２の所定の位置に設定する。
また、人員器材２の制御部２１は、初期設定データの中に銃４用の設定データや大火器Ｘ用の設定データがあれば、無線部２４を介して銃４や大火器Ｘに対して設定データを送信する（Ｓ１５）。
【００６５】
銃４及び大火器Ｘは、受信した初期設定データを記憶部に記憶して設定し、初期設定完了データを送信する（Ｓ１６）。
人員器材２は、銃４や大火器Ｘから初期設定完了データを受信すると、無線装置３に対して初期設定が完了したことを示す初期設定完了データを送信する（Ｓ１７）。
【００６６】
無線装置３は、人員器材２から送信された初期設定完了データに個別番号を付して、統制局５に対して初期設定完了データを送信する（Ｓ１８）。
統制局５では、初期設定完了データを受信すると、当該個別番号に対応する人員器材２、及びインデックステーブルで対応付けられている銃４や大火器Ｘに対する初期設定が完了したことを認識する。
【００６７】
尚、無線装置３から統制局５への初期設定完了データは、個別番号と設定完了を示すデータのみでもよいし、それに加えて、銃４や大火器Ｘについての設定完了（ＯＫ）／未完了（ＮＧ）を付してもよい。更に、個別番号の他に銃４のＩＤや大火器ＸのＩＤと、それぞれに対応するＯＫ／ＮＧを示すデータを備えたものとしてもよい。
【００６８】
このように、本システムでは、インデックステーブル及び設定データ管理テーブルに基づいて、処理Ｓ１３で初期設定データを全ての無線装置３に対して一括送信しているため、送信処理を容易にすると共に、Ｓ１４以降は各訓練者側の装備で並行して行われるため、初期設定に要する時間を大幅に短縮することができるものである。
【００６９】
また、統制局５では、個々の個別番号の人員器材２が実際に存在するかどうかに関わらず、選択されたインデックステーブルに基づいて、全ての情報を一括送信して、応答のあったものが実際に存在するものと認識する。
その際、応答のあった無線装置３の数と、事前に設定されている訓練者の数とが一致しない場合には、装置の不具合等で初期設定が正常に完了していないと考えられ、上述したように、予備の個別番号を付与して初期設定データを再設定する等の対策を施す。
【００７０】
［送信データの構成：図９〜図１１］
次に、本システムの一括初期設定データの構成について図９〜図１１を用いて説明する。［個別宛一括初期設定データ：図９］
まず、個々の訓練者に対して個別に異なる情報を設定する場合の一括初期設定データ（個別宛一括初期設定データ）について図９を用いて説明する。図９は、個別宛一括初期設定データの例を示す説明図である。
図９に示すように、個別一括初期設定データは、ヘッダー、データ内容、終了デリミタで構成されている。
【００７１】
個別に異なる情報としては、人員器材２や銃４の個別番号があり、図９に示すように、個別宛一括初期設定データは、設定対象となる個別番号（宛先）と、当該個別番号の初期設定情報（初期設定データ）との組み合わせが複数含まれたデータとなっている。
図９の例では、「対象：１」は、個別番号１宛であることを示しており、「個別番号１の初期設定情報」が対応付けられ、「対象：２」には「個別番号２の初期設定情報」が対応付けられ、以下同様に個別番号１００までの宛先と、それに対応する初期設定情報が一括して送信されるものである。
個別に異なる情報は、図５のインデックステーブルで個別番号（ここでは人員器材２のＩＤ）に対応付けられた情報となる。
【００７２】
ここで、個別宛一括初期設定データは、図５、６に示したインデックステーブルに基づいて生成される。
例えば、図５のインデックステーブルに基づく個別宛一括初期設定データでは、各訓練者宛の初期設定データは、個別番号（ここでは人員器材２のＩＤ）に対応付けられた情報となる。
【００７３】
具体的には、個別宛一括初期設定データのデータ内容は、「対象：１（人員器材ＩＤ：１）」に対応して、インデックステーブルに設定されている「人員器材の設定データ：ａｂｃ」「銃ＩＤ：１５０１」「銃用設定パターン：パターンＢ１」「大火器ＩＤ：３００１」「大火器用設定パターン：パターンＣ１」の初期設定情報が設定され、同様に「対象：２」〜「対象：３０」の宛先と各々の初期設定情報が対応付けられて設定されたものとなる。
【００７４】
そして、上述したように、この個別宛一括初期設定データを受信した無線装置３は、一連のデータ内容の内、自己の個別番号を対象とする初期設定情報のみを抽出して人員器材２に送信し、人員器材２では、自装置に設定する初期設定データは自装置内に設定し、銃４や大火器Ｘに設定する初期設定データは、それぞれの装置に送信して設定するものである。
【００７５】
尚、対象となる個別番号と、人員器材ＩＤとを異なるものとする場合には、人員器材ＩＤは、銃ＩＤや各設定データと同様に、個別番号に対応する初期設定情報の中に含まれて送信されるものである。
この場合には、人員器材ＩＤは、図８のシーケンスにおいて、無線装置３からの初期設定データを受信後（Ｓ１４）に人員器材２に設定される。
【００７６】
［グループ宛一括初期設定データ：図１０］
次に、複数の訓練者に同一の情報を設定する場合の一括初期設定データ（グループ宛一括初期設定データ）について図１０を用いて説明する。図１０（ａ）は、グループ宛一括初期設定データの例を示す説明図であり、（ｂ）は、図５のインデックステーブルに対応するグループ宛一括初期設定データの例である。
図１０に示すように、グループ宛一括初期設定データは、ヘッダー、データ内容、終了デリミタで構成され、データ内容には、対象として複数の個別番号が指定され、初期設定情報が対応付けられている。
図１０（ａ）の例では、個別番号１〜１００に対して、同一の初期設定情報が対応付けられ、個別番号１０１〜２００に対して、同一の初期設定情報が指定されている。
グループで共通の初期設定データとしては、例えば訓練において、同等の役割を担う訓練者に対する同一機種の銃４や大火器Ｘの設定データ等がある。
【００７７】
また、図１０（ｂ）の例は、図５のインデックステーブルに対応しており、個別番号１〜２６に対して、銃用の初期設定情報（パターンＢ１の設定内容）が指定され、個別番号１〜４に対して、大火器用の設定情報（パターンＣ１の設定内容）が指定されている。
パターンＢ１の設定内容やパターンＣ１の設定内容は、図７の設定データ管理テーブルに規定されている内容である。
これにより、個別番号１〜２６の訓練者について、銃４にパターンＢ１に基づく設定が行われ、個別番号１〜４の訓練者について、大火器ＸにパターンＣ１に基づく設定が行われる。
【００７８】
無線装置３は、グループ宛一括初期設定データを受信した場合にも、自己の個別番号が対象となっている初期設定情報のみを抽出する。したがって、例えば、個別番号５の無線装置３は、図１０（ｂ）のグループ宛一括初期設定データを受信しても、銃用の初期設定情報のみを取得し、大火器用の初期設定情報は取得しないものである。
【００７９】
［全員宛一括初期設定データ：図１１］
次に、訓練者全員に対して同一の情報を設定する場合の一括初期設定データ（全員宛一括初期設定データ）について図１１を用いて説明する。図１１は、全員宛一括初期設定データの例を示す説明図である。
図１１に示すように、全員宛一括初期設定データは、訓練者全員に対して共通に設定すべき情報を一括して設定するものであり、「対象」が「ＡＬＬ（全員）」となっている。
データ内容としては、現在時刻や訓練開始時刻がある。
無線装置３では、対象「ＡＬＬ」の場合、自己宛であると判断して、全員宛一括初期設定データのデータ内容を取得する。
【００８０】
このように、一括初期設定データを、個別宛、グループ宛、全員宛と分けて生成することにより、複数の訓練者に共通の情報を一度に送信でき、データ生成や送信の効率を向上させることができるものである。
【００８１】
［初期設定時の通信］
統制局５は、初期設定時には無線装置３との間で時分割通信を行う。
一括初期設定データの送信は、基本的には一斉配信とするが、初期設定の時間を短縮するために、周波数を１０波程度に分割し、グループ単位などで一括初期設定データの送信と、初期設定完了データの受信を行う。
これにより、個別宛一括初期設定データのデータ数を少なくでき、初期設定に要する時間を短縮することができるものである。
【００８２】
［初期設定の点検］
次に、本システムにおける初期設定の点検について説明する。
統制局５は、初期設定完了データ受信後、又は、全ての一括初期設定データを送信してから一定時間経過後に、点検の指示を一括送信する。
点検の指示は、上述した全員宛一括初期設定データと同様に、宛先を全員（ＡＬＬ）として送信される。一斉配信でもよいし、時間短縮のためにグループごとに配信してもよい。
【００８３】
無線装置３は、点検の指示を受信すると、それを人員器材２に出力し、人員器材２の制御部２１は、自装置内部に設定した初期設定情報を読み出して、無線装置３を介して統制局５に送信する。火器４や大火器Ｘに設定した情報も一緒に送信してもよい。
また、人員器材２の制御部２１は、その時点での人員器材２の動作状態を点検して、その結果も合わせて確認データとして送信する。
【００８４】
統制局５は、初期設定時に設定完了のデータを送信した人員器材２であっても、点検時に初期設定情報が正常に返信されなかった場合には、当該器材の初期設定が正常に行われていない、若しくは故障していると判断し、管理者によって装備の交換や予備の個別番号の付与等の適切な対処が行われる。
【００８５】
尚、人員器材２に点検スイッチを設けておき、訓練者が点検スイッチを押下することにより、制御部２１が初期設定情報を読み出して、無線装置３を介して統制局へ送信するように構成してもよい。
【００８６】
［実施の形態の効果］
本発明の実施の形態に係る訓練装置システム及び設定方法によれば、リストバンド１が、人員器材２に個別番号を送信して、人員器材２が当該個別番号を記憶すると共に、無線装置３に送信して設定し、無線装置３が、統制局５から一括して送信される一括初期設定データの中から自己の個別番号宛に送信された初期設定データを受信して人員器材２に送信し、更に人員器材２が自装置に対応する初期設定データを自装置内に設定すると共に、銃４又は大火器Ｘに対応する初期設定データをそれぞれ設定し、設定が完了すると、無線装置３に初期設定完了データを送信し、更に無線装置３が統制局５に初期設定完了データを送信するようになっているので、統制局５から初期設定データを人員器材２及び銃４等に容易に且つ短時間で設定でき、初期設定の作業効率を向上させることができる効果がある。
【００８７】
また、本システムによれば、統制局５が点検指示を送信し、無線装置３が点検指示を受信して人員器材２に送信すると、人員器材２が装置の状態をチェックし、設定内容を確認する情報を収集して装置の状態と共に確認情報として無線装置３に送信し、無線装置３が確認情報を統制局５に送信するようになっているので、点検作業を効率よく行うことができる効果がある。
【００８８】
また、本システムによれば、訓練の種類や内容等に応じて、予め複数種類のインデックステーブル及び設定データ管理テーブルに初期設定情報の内容をパターン化して登録しておき、訓練の際には、その中から最適なインデックステーブル及びパターンを選択して一括初期設定データを生成するようにしているので、初期設定データの生成や編集、初期設定に要する時間及び作業量を低減することができる効果がある。
【００８９】
また、本システムによれば、一括初期設定データを、個別宛、グループ宛、全員宛と分けて生成するようにしているので、複数の訓練者に共通の情報を同じ送信データで一度に送信でき、送信データ生成や送信の効率を向上させることができる効果がある。この出願は、２０１５年２月１８日に出願された日本出願特願２０１５−０２９５１０を基礎として優先権の利益を主張するものであり、その開示の全てを引用によってここに取り込む。
【産業上の利用可能性】
【００９０】
本発明は、初期設定に要する作業量を低減し、初期設定の時間を短縮することができる訓練装置システム及びデータ設定方法に適している。
【符号の説明】
【００９１】
１…リストバンド、  ２，７２…人員器材、  ３，７３…無線装置、  ４，７４…銃（火器）、  ５，７５…統制局、  ２１，３１，５１…制御部、  ２２，３２，５２…記憶部、  ２３…微弱無線部、  ２４，３３，５３…無線部、  ２５…レーザ受信部、  ２６…発光部、  ５４…インタフェース部、  ５５…表示部、  ５６…入力部、  ７１…初期設定装置
【図１】
2016132946.tif 000003
【図２】
2016132946.tif 000004
【図３】
2016132946.tif 000005
【図４】
2016132946.tif 000006
【図５】
2016132946.tif 000007
【図６】
2016132946.tif 000008
【図７】
2016132946.tif 000009
【図８】
2016132946.tif 000010
【図９】
2016132946.tif 000011
【図１０】
2016132946.tif 000012
【図１１】
2016132946.tif 000013
【図１２】
2016132946.tif 000014
【図１３】
2016132946.tif 000015
【国際調査報告】
2016132946.tif 000016
2016132946.tif 000017
2016132946.tif 000018
2016132946.tif 000019